(57)【要約】    【課題】  比較的容易に異物の除去をすることができる新規な異物除去装置及び／又は水産廃棄物を分配処理機に一様に分配することができる新規な水産廃棄物分配装置を備えた水産廃棄物処理システムを提供することである。    【解決手段】  異物除去装置（３０）は、水が満たされている水槽（３２）と、水槽内に配置された異物除去槽（３４）と、異物除去槽内に圧縮空気を供給するための圧縮空気供給管（３６）とを有しており、異物除去槽の少なくとも側壁が多孔パネルで形成され、側壁の下部に磁石が取り付けられている。水産廃棄物分配装置（４０）は、本体（４２）内の被処理水産廃棄物を均一に均すための分配調整機構（５２）とを有している。【選択図】  図１
2005058846.tif 000002
【特許請求の範囲】
【請求項１】
水産廃棄物処理システムであって、
被処理水産廃棄物を処理する前に、前記被処理水産廃棄物中の異物を除去するための異物除去装置を備え、
前記異物除去装置が、水が満たされている水槽と、前記水槽内に配置された異物除去槽と、異物除去槽内に圧縮空気を供給するための圧縮空気供給管とを有しており、
前記異物除去槽の少なくとも側壁が多孔パネルで形成され、前記側壁の下部に磁石が取り付けられていることを特徴とするシステム。
【請求項２】
前記異物除去装置が、前記異物除去槽内への圧縮空気の噴射角度を調整するための噴射角度調整手段を更に有していることを特徴とする請求項１に記載のシステム。
【請求項３】
前記異物除去槽が、逆四角錐台形に形成されていることを特徴とする請求項１又は２に記載のシステム。
【請求項４】
水産廃棄物処理システムであって、
被処理水産廃棄物を分解装置に分配するための水産廃棄物分配装置を備え、
前記水産廃棄物分配装置が、被処理水産廃棄物を一時的に収容する本体と、前記本体の内部の下方に配置されたスクリューコンベアと、スクリューコンベアを駆動する駆動手段と、本体の下部に設けられた複数の排出用ホッパ部分と、前記本体内の被処理水産廃棄物を均一に均すための分配調整機構とを有しており、
前記本体内の被処理水産廃棄物の量が第１高さ以下になると、前記本体内に被処理水産廃棄物が吸引されるとともに前記分配調整機構が作動して被処理水産廃棄物の上面が略均一に均され、前記本体内の被処理水産廃棄物の量が第２高さ以上になると、被処理水産廃棄物の吸引及び前記分配調整機構の作動が停止するように構成されていることを特徴とするシステム。
【請求項５】
前記分配調整機構が、前記本体の長さ方向側壁の上部内側に対向して設けられた一対のレールと、前記レールに沿って摺動可能に取り付けられた均し板と、前記均し板に設けられた雌ねじ付き開口と、前記雌ねじ付き開口の雌ねじに噛み合うように前記開口内にねじ込まれた雄ねじ付きシャフトと、前記雄ねじ付きシャフトを回転させる駆動手段と、前記本体内の被処理水産廃棄物の前記第２高さを検知する上限センサと、前記本体内の被処理水産廃棄物の第１高さを検知する下限センサとを有しており、前記駆動手段を作動させると、前記雄ねじ付きシャフトが回転し、これにより前記均し板が長さ方向に移動し、被処理水産廃棄物の上端を均すように構成されていることを特徴とする請求項４に記載のシステム。
【請求項６】
前記水産廃棄物分配装置が、前記排出用ホッパ部分内の被処理水産廃棄物の重量が所定の重量以下に低下したことをセンサが検知すると、前記スクリューコンベアが回転して、前記排出用ホッパ部分内に被処理水産廃棄物を供給するように構成されていることを特徴とする請求項４又は５に記載のシステム。
【発明の詳細な説明】
【技術分野】
【０００１】
本発明は一般に、水産廃棄物処理システムに関する。より詳細には、本発明は、新規な異物除去装置及び／又は水産廃棄物分配装置を備えた水産廃棄物処理システムに関する。
【背景技術】
【０００２】
水産廃棄物（例えば、ホタテ貝のウロ、海星、魚の頭や内蔵等の残滓物、アコヤ貝の残滓物など）は、重金属を含んでいるため、周囲環境に悪影響を及ぼさないように、慎重に処理する必要がある。このような水産廃棄物を処理するために、種々の水産廃棄物処理システムが開発されている。典型的な水産廃棄物処理システムは、処理しようとする水産廃棄物を破砕機で細かく破砕した後、分解処理機又は焼却炉に送って処理するように構成されている。
【発明の開示】
【発明が解決しようとする課題】
【０００３】
しかしながら、従来の水産廃棄物処理システムでは、水産廃棄物中に混入している金属片等の異物によって破砕機が破損するケースが多く、破砕機の維持管理に多大の費用と手間を要するという課題があった。また、従来の水産廃棄物処理システムでは、分解処理機に水産廃棄物を分配する際に水産廃棄物を一様に分配するのが困難であり、水産廃棄物が一様に分配されないことにより、分解処理が非効率になるという課題があった。
【０００４】
したがって、本発明は、比較的容易に異物の除去をすることができる新規な異物除去装置及び／又は水産廃棄物を分配処理機に一様に分配することができる新規な水産廃棄物分配装置を備えた水産廃棄物処理システムを提供することを目的としている。
【課題を解決するための手段】
【０００５】
本願請求項１に記載の水産廃棄物処理システムは、被処理水産廃棄物を処理する前に、前記被処理水産廃棄物中の異物を除去するための異物除去装置を備え、前記異物除去装置が、水が満たされている水槽と、前記水槽内に配置された異物除去槽と、異物除去槽内に圧縮空気を供給するための圧縮空気供給管とを有しており、前記異物除去槽の少なくとも側壁が多孔パネルで形成され、前記側壁の下部に磁石が取り付けられていることを特徴とするものである。
【０００６】
本願請求項２に記載の水産廃棄物処理システムは、前記請求項１のシステムにおいて、前記異物除去装置が、前記異物除去槽内への圧縮空気の噴射角度を調整するための噴射角度調整手段を更に有していることを特徴とするものである。
【０００７】
本願請求項３に記載の水産廃棄物処理システムは、前記請求項１又は２のシステムにおいて、前記異物除去槽が、逆四角錐台形に形成されていることを特徴とするものである。
【０００８】
本願請求項４に記載の水産廃棄物処理システムは、被処理水産廃棄物を分解装置に分配するための水産廃棄物分配装置を備え、前記水産廃棄物分配装置が、被処理水産廃棄物を一時的に収容する本体と、前記本体の内部の下方に配置されたスクリューコンベアと、スクリューコンベアを駆動する駆動手段と、本体の下部に設けられた複数の排出用ホッパ部分と、前記本体内の被処理水産廃棄物を均一に均すための分配調整機構とを有しており、前記本体内の被処理水産廃棄物の量が第１高さ以下になると、前記本体内に被処理水産廃棄物が吸引されるとともに前記分配調整機構が作動して被処理水産廃棄物の上面が略均一に均され、前記本体内の被処理水産廃棄物の量が第２高さ以上になると、被処理水産廃棄物の吸引及び前記分配調整機構の作動が停止するように構成されていることを特徴とするものである。
【０００９】
本願請求項５に記載の水産廃棄物処理システムは、前記請求項４のシステムにおいて、前記分配調整機構が、前記本体の長さ方向側壁の上部内側に対向して設けられた一対のレールと、前記レールに沿って摺動可能に取り付けられた均し板と、前記均し板に設けられた雌ねじ付き開口と、前記雌ねじ付き開口の雌ねじに噛み合うように前記開口内にねじ込まれた雄ねじ付きシャフトと、前記雄ねじ付きシャフトを回転させる駆動手段と、前記本体内の被処理水産廃棄物の前記第２高さを検知する上限センサと、前記本体内の被処理水産廃棄物の第１高さを検知する下限センサとを有しており、前記駆動手段を作動させると、前記雄ねじ付きシャフトが回転し、これにより前記均し板が長さ方向に移動し、被処理水産廃棄物の上端を均すように構成されていることを特徴とするものである。
【００１０】
本願請求項６に記載の水産廃棄物処理システムは、前記請求項４又は５のシステムにおいて、前記水産廃棄物分配装置が、前記排出用ホッパ部分内の被処理水産廃棄物の重量が所定の重量以下に低下したことをセンサが検知すると、前記スクリューコンベアが回転して、前記排出用ホッパ部分内に被処理水産廃棄物を供給するように構成されていることを特徴とするものである。
【発明の効果】
【００１１】
水産廃棄物処理システムに異物除去装置を設けることにより、被処理水産廃棄物中に混入している金属片等の異物を比較的に容易に除去することができ、これによりシステムの維持管理に要する費用と手間を軽減することが可能になった。また、水産廃棄物処理システムに水産廃棄物分配装置を設けることにより、分解装置に被処理水産廃棄物を分配する際に一様に分配することができ、これにより分解処理の効率を良好にすることが可能になった。
【発明を実施するための最良の形態】
【００１２】
次に図面を参照して、本発明の好ましい実施の形態に係る水産廃棄物処理システムについて詳細に説明する。図１は、本発明の好ましい実施の形態に係る水産廃棄物処理システムを示した概略全体図である。図１において全体として参照符号１０で示される本発明の好ましい実施の形態に係る水産廃棄物処理システムは、処理しようとする水産廃棄物（以下「被処理水産廃棄物」という）を水産廃棄物処理システム１０に受け入れるための水産廃棄物受け入れ装置２０を備えている。
【００１３】
図２は、水産廃棄物受け入れ装置２０を概略的に示した図である。水産廃棄物受け入れ装置２０は、被処理水産廃棄物を受け入れる受け入れバケット２２と、受け入れバケットをフレーム２０ａに沿って昇降させる昇降手段２４と、受け入れバケット２２から被処理水産廃棄物が投入される投入ホッパ２６とを有している。なお、図２において、２２ａは受け入れバケット２２を傾斜させるための油圧シリンダ、２６ａは投入ホッパ２６の蓋、２６ｂは蓋２６ａを開閉させるための油圧シリンダをそれぞれ示している。
【００１４】
受け入れ装置２０では、被処理水産廃棄物をダンプカー等の搬送手段（図示せず）から受け入れバケット２２内に受け入れ、昇降手段２４によって上昇させた受け入れバケット２２を傾斜させて、被処理水産廃棄物を投入ホッパ２６に投入する。そして、被処理水産廃棄物は、投入ホッパ２６からスクリューコンベア２８を介して、後述する異物除去装置２０に搬送される。
【００１５】
水産廃棄物処理システム１０は又、本発明の第１の特徴をなす異物除去装置３０を備えている。異物除去装置３０は、受け入れ装置２０から搬送された被処理水産廃棄物中の異物を除去するための装置であり、水が満たされている水槽３２と、水槽３２内に配置された異物除去槽３４とを有している。異物除去槽３４は、好ましくは、四角錐台を逆さまにした形状（以下「逆四角錐台形」という）を有し、上面が開放している。また、異物除去槽３４は、少なくとも側壁が金属製の多孔パネル３４ａで形成されており、側壁の下部に磁石３４ｂが取り付けられている。また、好ましくは、異物除去槽３４の底壁３４ｃは、蝶番等を用いて開閉できるようになっている。
【００１６】
異物除去装置３０は又、異物除去槽３４内に圧縮空気を供給するための圧縮空気供給管３６を有している。好ましくは、圧縮空気源（図示せず）に接続された圧縮空気供給管３６は、図３に示されるように、異物除去槽３４の側壁の上方部、中央部、下方部にそれぞれ延びている。また、好ましくは、圧縮空気供給管３６の先端３６ａには、図５に示されるように、異物除去槽３４内への圧縮空気の噴射角度を調整するための噴射角度調整手段３８が設けられている。噴射角度調整手段３８は、弧状の案内路が形成された案内板３８ａと、圧縮空気供給管３６の先端３６ａを案内路に沿って摺動させるための止め金３８ｂと、止め金３８ｂを案内路の所望個所に固定するためのボルト３８ｃとを有している。
【００１７】
異物除去装置３０の使用に際しては、被処理水産廃棄物をスクリューコンベア２８を介して異物除去槽３４内に投入する。そして、圧縮空気供給管３６を介して異物除去槽３４内に圧縮空気を供給する。すると、図６において模式的に示されるように、異物除去槽３４内の水に対流が生じ、これにより、被処理水産廃棄物に付着している塵、ゴミ、砂等の異物が洗い流されるとともに、被処理水産廃棄物中の金属片が磁石３４ｂに吸着される。異物除去装置３０では、上述のように、圧縮空気により水に対流を生ぜしめ、これにより被処理水産廃棄物に付着している異物を除去するため、洗浄水に余分な重金属が含まれることがなくなり、従って、洗浄水の浄化に余分な経費をかける必要がなくなる。
【００１８】
なお、図示されている異物除去槽３４の形状は、逆四角錐台形であり、水流を一定に保持するためには逆四角錐台形が最も好ましいことが本発明者の実験により分かっているが、異物除去槽３４の形状を、逆四角錐台形以外の形状、例えば逆円錐台形や立方体形にしてもよい。また、図示されている実施の形態では、圧縮空気供給管３６が異物除去槽３４の側壁の上方部、中央部、下方部にそれぞれ設けられているが、これらのうちいずれかを省略してもよい（ただし、圧縮空気が下部から上部に上昇するため、下方部の圧縮空気供給管３６を省略すると、効率が悪くなる）。さらに、噴射角度調整手段３８も、図５に示される型式のものに限定されるものではない。
【００１９】
水産廃棄物処理システム１０は又、本発明の第２の特徴をなす水産廃棄物分配装置４０を備えている。図７は、水産廃棄物分配装置４０を概略的に示した図である。水産廃棄物分配装置４０は、異物除去装置３０で異物を除去された被処理水産廃棄物を、後述する分解装置６０に分配するための装置である。
【００２０】
水産廃棄物分配装置４０は、被処理水産廃棄物を一時的に収容する本体４２と、被処理水産廃棄物を異物除去装置３０から管路３９を介して本体４２内に吸引するための吸引手段４４とを有している。吸引手段４４は、通常のポンプを使用してよい。水産廃棄物分配装置４０は又、本体４２の内部の下方に配置されたスクリューコンベア４６と、スクリューコンベア４６を駆動する駆動手段４８とを有している。本体４２の下部には、複数（図１及び図７では、４基）の排出用ホッパ部分５０が設けられており、排出用ホッパ部分５０の各々には、該ホッパ部分５０内に収容された被処理水産廃棄物の重量を検出するためのセンサ５０ａが設けられている。
【００２１】
水産廃棄物分配装置４０は更に、本体４２内に吸引された被処理水産廃棄物を均一に均すための分配調整機構５２を有している。分配調整機構５２は、本体４２の長さ方向側壁の上部内側に対向して設けられた一対のレール５２ａ（図８参照）と、レール５２ａに沿って摺動可能に取り付けられた均し板５２ｂと、均し板５２ｂに設けられた雌ねじ付き開口５２ｃ（図８）と、雌ねじ付き開口５２ｃの雌ねじに噛み合うように開口５２ｃ内にねじ込まれた雄ねじ付きシャフト５２ｄと、雄ねじ付きシャフト５２ｄを回転させる駆動手段５２ｅと、本体４２内の被処理水産廃棄物の上限高さを検知する上限センサ５２ｆと、本体４２内の被処理水産廃棄物の下限高さを検知する下限センサ５２ｇとを有しており、駆動手段５２ｅを作動させると、雄ねじ付きシャフト５２ｄが回転し、これにより均し板５２ｂが長さ方向に移動し（図７において鎖線で図示）、被処理水産廃棄物の上端を均すようになっている。
【００２２】
水産廃棄物分配装置４０は、本体４２内の被処理水産廃棄物が減少して下限センサ５２ｇの設置高さ（第１高さ）以下になると、吸引手段４４が作動して本体４２内に被処理水産廃棄物が吸引されるとともに分配調整機構５２が作動して均し板５２ｂにより被処理水産廃棄物が均され、本体４２内の被処理水産廃棄物が増加して上限センサ５２ｆの設置高さ（第２高さ）に到達すると、吸引手段４４及び分配調整機構５２の作動が停止するように構成されている。また、水産廃棄物分配装置４０は、排出用ホッパ部分５０内の被処理水産廃棄物の重量が所定の重量以下に低下したことをセンサ５０ａが検知すると、駆動手段４８が作動してスクリューコンベア４６が一定時間回転して、排出用ホッパ部分５０内に被処理水産廃棄物を供給するように構成されている。
【００２３】
水産廃棄物処理システム１０は更に、分解装置６０を備えている。図９及び図１０は、分解装置６０を概略的に示した正面図及び側面図である。分解装置６０は、発酵菌を用いて被処理水産廃棄物を分解処理するための装置である。
【００２４】
分解装置６０は、複数（図１及び図９では、４基）の分解槽６２と、各分解槽６２内の下半部に対向して水平方向に配置された一対の回転軸６４と、回転軸６４を駆動させるための駆動手段６６と、各回転軸６４に取り付けられた複数の攪拌羽根６８と、各分解槽６２内の空気を防湿・温度調整装置（図１参照）に送るための第１空気配管７０と、防湿・温度調整装置から各分解槽６２に空気を送るための第２空気配管７２と、各分解槽６２内に散水するための散水装置７４とを有している。また、スクリューコンベア７６が、排出用ホッパ部分５０と各分解槽６２の上方との間に設けられており、スクリューコンベア７６の端部と各分解槽６２の上部との間に延びた管７６ａを介して、各分解槽６２に被処理水産廃棄物が供給されるようになっている。なお、図９及び図１０において、参照符号７８は、各分解槽６２から第１空気配管７０への排気口に取り付けられたフィルタ、参照符号８０は、後述する母材が風圧で舞い上がるのを防止するための制圧板、参照符号８２は、各分解槽６２内の臭気を脱臭装置（図１参照）に送るための脱臭管、参照符号８４は、分解槽６２内の被処理水産廃棄物と母材の重量を検知するための圧力センサをそれぞれ示し、図１０において、参照符号６２ａは、母材投入口を兼ねた点検口を示している。
【００２５】
なお、各攪拌羽根６８の回転軸６４への取り付け角度は、図１１に示されるように、回転軸６４の中心線に対して約６５度傾斜させるのが好ましい。
【００２６】
分解装置６０は、以下のように作動する。まず、各分解槽６２内に母材を入れておく。ここで、母材は好ましくは、伐採後２年程度以上経過した針葉樹をおが屑状に加工したもの、或いはおが屑とチップ状に加工したものに、５〜１０重量％のヤシガラ活性炭を混入したものである。次いで、各分解装置６２に管７６ａを介して被処理水産廃棄物を投入し、回転軸６４を回転させる。その際、図９において実線矢印で示されるように、対向した回転軸６４を互いに内回りに回転させ、被処理水産廃棄物を母材に均一に混入させる。なお、回転軸６４を常時内回りに回転させておくと、被処理水産廃棄物と母材が分解槽６２の中央部に集まりがちになるので、適宜、外回り（図９において破線矢印で図示）に回転させるのが好ましい。このようにして被処理水産廃棄物と母材を攪拌させつつ、第１空気配管７０及び第２空気配管７２を介して分解槽６２内の空気を新鮮な状態に保ち、かつ、散水装置７４により分解槽６２内の湿度を一定に保持することにより、被処理水産廃棄物を発酵させて分解処理する。
【００２７】
なお、図１に示される濾過槽、水質調整槽、脱臭装置、及び貯留水槽は、公知のものを使用してよい。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
例えば、前記実施の形態において、水産廃棄物処理システム１０は、異物除去装置３０と水産廃棄物分配装置４０の両方を備えているが、異物除去装置３０又は水産廃棄物分配装置４０のいずれか一方のみを備えていてもよい。また、水産廃棄物処理システム１０は、上述の型式の分解装置６０以外の分解装置を備えていてもよい。
【図面の簡単な説明】
【００３０】
【図１】本発明の好ましい実施の形態に係る水産廃棄物処理システムの概略全体図である。
【図２】水産廃棄物受け入れ装置を概略的に示した図である。
【図３】異物除去装置を概略的に示した断面図である。
【図４】異物除去装置を概略的に示した平面図である。
【図５】（ａ）は異物除去装置に設けられる噴射角度調整手段を示した拡大正面図、（ｂ）は（ａ）の線５ｂ−５ｂに沿った断面図である。
【図６】異物除去装置の水が攪拌されて水に対流が生じている状態を模式的に示した図である。
【図７】水産廃棄物分配装置を概略的に示した図である。
【図８】図７の水産廃棄物分配装置の側面図である。
【図９】分解装置を概略的に示した図である。
【図１０】図９の分解装置の側面図である。
【図１１】分解装置の回転軸への攪拌羽根の取り付け角度を示した図である。
【符号の説明】
【００３１】
１０  水産廃棄物処理システム
２０  水産廃棄物受け入れ装置
３０  異物除去装置
３２  水槽
３４  異物除去槽
３６  圧縮空気供給管
３８  噴射角度調整手段
４０  水産廃棄物分配装置
４２  本体
４４  吸引手段
４６  スクリューコンベア
５０  排出用ホッパ部分
５２  分配調整機構
６０  分解装置
【図１】
2005058846.tif 000003
【図２】
2005058846.tif 000004
【図３】
2005058846.tif 000005
【図４】
2005058846.tif 000006
【図５】
2005058846.tif 000007
【図６】
2005058846.tif 000008
【図７】
2005058846.tif 000009
【図８】
2005058846.tif 000010
【図９】
2005058846.tif 000011
【図１０】
2005058846.tif 000012
【図１１】
2005058846.tif 000013